(57)【要約】  複数の可能なステップサイズに従ってワイヤレスデバイスの電力スペクトル密度（ＰＳＤ）を調整することを可能にするシステムおよび方法について説明する。１つまたは複数のアクセスポイントから受信した過負荷インジケータと、ワイヤレスデバイスのターゲット信号対干渉雑音比（ＳＩＮＲ）を達成するために必要とされるＰＳＤと、ワイヤレスデバイスに前に割り当てられたＰＳＤとに少なくとも部分的に基づいて、調整のためのステップサイズを選択することができる。ステップサイズが選択されると、ワイヤレスデバイスの新しいＰＳＤを発生するために、そのステップサイズを前のＰＳＤに適用することができ、ワイヤレスデバイスは、１つまたは複数のアクセスポイントとのセル間干渉を緩和するために、ＰＳＤをそれに応じて調整することができる。【選択図】      図５
2012501598.tif 000002
【特許請求の範囲】
【請求項１】
１つまたは複数の周囲アクセスポイントから過負荷インジケータを受信することと、
１つまたは複数のモバイルデバイスに関係するターゲット信号対干渉雑音比（ＳＩＮＲ）を受信することと、
前記過負荷インジケータと前記ターゲットＳＩＮＲとに少なくとも部分的に基づいて電力スペクトル密度（ＰＳＤ）ステップサイズを選択することと、
前記１つまたは複数のモバイルデバイスに関係する前のＰＳＤに前記ＰＳＤステップサイズを適用することと
を備える、方法。
【請求項２】
前記ＰＳＤステップサイズを前記選択することが、２つの可能なＰＳＤステップサイズから選択することを含む、請求項１に記載の方法。
【請求項３】
前記１つまたは複数のモバイルデバイスの前記ターゲットＳＩＮＲを達成するために必要なＰＳＤを判断することをさらに備え、ここで、前記ＰＳＤステップサイズを前記選択することは、前記１つまたは複数のモバイルデバイスに前に割り当てられたＰＳＤと、前記１つまたは複数のモバイルデバイスの前記ターゲットＳＩＮＲを達成するために必要な前記ＰＳＤとの間の差に少なくとも部分的に基づいて、前記２つの可能なＰＳＤステップサイズのうちの一方を選択することを含む、請求項２に記載の方法。
【請求項４】
前記過負荷インジケータは、前記１つまたは複数の周囲アクセスポイントが過負荷をかけられていることを明示し、前記ＰＳＤステップサイズを前記選択することは、前記１つまたは複数のモバイルデバイスに前に割り当てられた前記ＰＳＤが、前記１つまたは複数のモバイルデバイスの前記ターゲットＳＩＮＲを達成するために必要な前記ＰＳＤよりも小さい場合、前記２つの可能なＰＳＤステップサイズのうちのより小さいＰＳＤステップサイズを選択することを含み、前記ＰＳＤステップサイズを前記適用することは、前記１つまたは複数のモバイルデバイスに前に割り当てられた前記ＰＳＤから前記ＰＳＤステップサイズを減算することを含む、請求項３に記載の方法。
【請求項５】
前記過負荷インジケータは、前記１つまたは複数の周囲アクセスポイントが過負荷をかけられていないことを明示し、前記ＰＳＤステップサイズを前記選択することは、前記１つまたは複数のモバイルデバイスに前に割り当てられた前記ＰＳＤが、前記１つまたは複数のモバイルデバイスの前記ターゲットＳＩＮＲを達成するために必要な前記ＰＳＤよりも大きい場合、前記２つの可能なＰＳＤステップサイズのうちのより小さいＰＳＤステップサイズを選択することを含み、前記ＰＳＤステップサイズを前記適用することは、前記ＰＳＤステップサイズを前記１つまたは複数のモバイルデバイスに前に割り当てられた前記ＰＳＤに加算することを含む、請求項３に記載の方法。
【請求項６】
前記１つまたは複数のモバイルデバイスに関係する前記ターゲットＳＩＮＲを前記受信することが、前記１つまたは複数のモバイルデバイスのジオメトリあるいは相対ロケーションに少なくとも部分的に基づいて前記ターゲットＳＩＮＲを計算することを含む、請求項１に記載の方法。
【請求項７】
前記過負荷インジケータを前記受信することが、前記１つまたは複数の周囲アクセスポイントとのバックホールリンクを介して前記過負荷インジケータを受信することを含む、請求項１に記載の方法。
【請求項８】
前記ＰＳＤステップサイズを適用された前記前のＰＳＤを前記１つまたは複数のモバイルデバイスに送信することをさらに備える、請求項１に記載の方法。
【請求項９】
１つまたは複数の周囲アクセスポイントから過負荷インジケータを受信することと、
１つまたは複数のモバイルデバイスに関係するターゲット信号対干渉雑音比（ＳＩＮＲ）を達成するための電力スペクトル密度（ＰＳＤ）を計算することと、
前記過負荷インジケータと、前記ＰＳＤを前記１つまたは複数のモバイルデバイスに割り当てられた前のＰＳＤと比較することとに少なくとも部分的に基づいて、ＰＳＤステップサイズを選択することと、
前記１つまたは複数のモバイルデバイスの新しいＰＳＤを作成するために、前記前のＰＳＤに前記ＰＳＤステップサイズを適用することと
を行うように構成された少なくとも１つのプロセッサと、
前記少なくとも１つのプロセッサに結合されたメモリと
を備える、ワイヤレス通信装置。
【請求項１０】
前記少なくとも１つのプロセッサが、２つのＰＳＤステップサイズから前記ＰＳＤステップサイズを選択する、請求項９に記載のワイヤレス通信装置。
【請求項１１】
前記少なくとも１つのプロセッサは、前記過負荷インジケータが前記１つまたは複数のアクセスポイントが過負荷をかけられていることを明示し、前記前のＰＳＤが前記ターゲットＳＩＮＲを達成するための前記ＰＳＤよりも小さい場合、前記２つのＰＳＤステップサイズのうちのより小さいＰＳＤステップサイズを選択し、前記少なくとも１つのプロセッサは、前記前のＰＳＤから前記ＰＳＤステップサイズを減算することによって前記前のＰＳＤに前記ＰＳＤステップサイズを適用する、請求項１０に記載のワイヤレス通信装置。
【請求項１２】
前記少なくとも１つのプロセッサは、前記過負荷インジケータが前記１つまたは複数のアクセスポイントが過負荷をかけられていないことを明示し、前記前のＰＳＤが前記ターゲットＳＩＮＲを達成するための前記ＰＳＤよりも大きい場合、前記２つのＰＳＤステップサイズのうちのより小さいＰＳＤステップサイズを選択し、前記少なくとも１つのプロセッサは、前記ＰＳＤステップサイズを前記前のＰＳＤに加算することによって前記前のＰＳＤに前記ＰＳＤステップサイズを適用する、請求項１０に記載のワイヤレス通信装置。
【請求項１３】
前記少なくとも１つのプロセッサが、前記１つまたは複数のモバイルデバイスのジオメトリまたは相対ロケーションに少なくとも部分的に基づいて、前記１つまたは複数のモバイルデバイスに関係する前記ターゲットＳＩＮＲを判断するようにさらに構成された、請求項９に記載のワイヤレス通信装置。
【請求項１４】
前記少なくとも１つのプロセッサが、前記１つまたは複数のアクセスポイントとのバックホールリンクを介して前記過負荷インジケータを受信する、請求項９に記載のワイヤレス通信装置。
【請求項１５】
前記少なくとも１つのプロセッサが、前記新しいＰＳＤを前記１つまたは複数のモバイルデバイスに送信するようにさらに構成された、請求項９に記載のワイヤレス通信装置。
【請求項１６】
アクセスポイントに関係する過負荷インジケータを受信するための手段と、
モバイルデバイスのターゲット信号対干渉雑音比（ＳＩＮＲ）を受信するための手段と、
前記過負荷インジケータと前記ターゲットＳＩＮＲとに少なくとも部分的に基づいて電力スペクトル密度（ＰＳＤ）ステップサイズを選択するための手段と、
前記モバイルデバイスの新しいＰＳＤを作成するために前記モバイルデバイスの前のＰＳＤに前記ＰＳＤステップサイズを適用するための手段と
を備える、装置。
【請求項１７】
選択するための前記手段が、２つの可能なＰＳＤステップサイズから前記ＰＳＤステップサイズを選択する、請求項１６に記載の装置。
【請求項１８】
前記ターゲットＳＩＮＲを達成するために必要なＰＳＤを計算するための手段をさらに備え、ここで、選択するための前記手段は、前記ターゲットＳＩＮＲを達成するために必要な前記ＰＳＤを前記モバイルデバイスの前記前のＰＳＤと比較することに少なくとも部分的に基づいて、前記２つの可能なＰＳＤステップサイズから前記ＰＳＤステップサイズを選択する、請求項１７に記載の装置。
【請求項１９】
選択するための前記手段は、前記過負荷インジケータが前記アクセスポイントが過負荷をかけられていることを明示し、前記モバイルデバイスの前記前のＰＳＤが前記ターゲットＳＩＮＲを達成するために必要な前記ＰＳＤよりも大きい場合、前記２つの可能なＰＳＤステップサイズのうちのより大きいＰＳＤステップサイズを選択し、前記ＰＳＤステップサイズを適用するための前記手段は、前記モバイルデバイスの前記前のＰＳＤから前記ＰＳＤステップサイズを減算する、請求項１８に記載の装置。
【請求項２０】
選択するための前記手段は、前記過負荷インジケータが前記アクセスポイントが過負荷をかけられていないことを明示し、前記モバイルデバイスの前記前のＰＳＤが前記ターゲットＳＩＮＲを達成するために必要な前記ＰＳＤよりも小さい場合、前記２つの可能なＰＳＤステップサイズのうちのより大きいＰＳＤステップサイズを選択し、前記ＰＳＤステップサイズを適用するための前記手段は、前記ＰＳＤステップサイズを前記モバイルデバイスの前記前のＰＳＤに加算する、請求項１８に記載の装置。
【請求項２１】
前記ターゲットＳＩＮＲを受信するための前記手段が、前記モバイルデバイスのジオメトリまたは相対ロケーションから前記ターゲットＳＩＮＲを計算する、請求項１６に記載の装置。
【請求項２２】
前記過負荷インジケータを受信するための前記手段が、前記アクセスポイントとのバックホールリンクを介して前記過負荷インジケータを受信する、請求項１６に記載の装置。
【請求項２３】
前記新しいＰＳＤを前記モバイルデバイスに送信するための手段をさらに備える、請求項１６に記載の装置。
【請求項２４】
少なくとも１つのコンピュータに、１つまたは複数の周囲アクセスポイントから過負荷インジケータを受信させるためのコードと、
前記少なくとも１つのコンピュータに、１つまたは複数のモバイルデバイスに関係するターゲット信号対干渉雑音比（ＳＩＮＲ）を受信させるためのコードと、
前記少なくとも１つのコンピュータに、前記過負荷インジケータと前記ターゲットＳＩＮＲとに少なくとも部分的に基づいて電力スペクトル密度（ＰＳＤ）ステップサイズを選択させるためのコードと、
前記少なくとも１つのコンピュータに、前記１つまたは複数のモバイルデバイスに関係する前のＰＳＤに前記ＰＳＤステップサイズを適用させるためのコードと
を備えるコンピュータ可読媒体
を備える、コンピュータプログラム製品。
【請求項２５】
前記少なくとも１つのコンピュータにＰＳＤステップサイズを選択させるための前記コードが、２つの可能なＰＳＤステップサイズから前記ＰＳＤステップサイズを選択する、請求項２４に記載のコンピュータプログラム製品。
【請求項２６】
前記コンピュータ可読媒体が、前記少なくとも１つのコンピュータに、前記１つまたは複数のモバイルデバイスの前記ターゲットＳＩＮＲを達成するために必要なＰＳＤを判断させるためのコードをさらに備え、ここで、前記少なくとも１つのコンピュータに前記ＰＳＤステップサイズを選択させるための前記コードは、前記１つまたは複数のモバイルデバイスに前に割り当てられたＰＳＤと前記１つまたは複数のモバイルデバイスの前記ターゲットＳＩＮＲを達成するために必要な前記ＰＳＤとの間の差に少なくとも部分的に基づいて、前記２つの可能なＰＳＤステップサイズのうちの一方を選択する、請求項２５に記載のコンピュータプログラム製品。
【請求項２７】
前記過負荷インジケータは、前記１つまたは複数の周囲アクセスポイントが過負荷をかけられていることを明示し、前記少なくとも１つのコンピュータに前記ＰＳＤステップサイズを選択させるための前記コードは、前記１つまたは複数のモバイルデバイスに前に割り当てられた前記ＰＳＤが、前記１つまたは複数のモバイルデバイスの前記ターゲットＳＩＮＲを達成するために必要な前記ＰＳＤよりも小さい場合、前記２つの可能なＰＳＤステップサイズのうちのより小さいＰＳＤステップサイズを選択し、前記少なくとも１つのコンピュータに前記ＰＳＤステップサイズを適用させるための前記コードが、前記１つまたは複数のモバイルデバイスに前に割り当てられた前記ＰＳＤから前記ＰＳＤステップサイズを減算する、請求項２６に記載のコンピュータプログラム製品。
【請求項２８】
前記過負荷インジケータは、前記１つまたは複数の周囲アクセスポイントが過負荷をかけられていないことを明示し、前記少なくとも１つのコンピュータに前記ＰＳＤステップサイズを選択させるための前記コードは、前記１つまたは複数のモバイルデバイスに前に割り当てられた前記ＰＳＤが、前記１つまたは複数のモバイルデバイスの前記ターゲットＳＩＮＲを達成するために必要な前記ＰＳＤよりも大きい場合、前記２つの可能なＰＳＤステップサイズのうちのより小さいＰＳＤステップサイズを選択し、前記少なくとも１つのコンピュータに前記ＰＳＤステップサイズを適用させるための前記コードが、前記ＰＳＤステップサイズを前記１つまたは複数のモバイルデバイスに前に割り当てられた前記ＰＳＤに加算する、請求項２６に記載のコンピュータプログラム製品。
【請求項２９】
前記少なくとも１つのコンピュータに前記ターゲットＳＩＮＲを受信させるための前記コードが、前記１つまたは複数のモバイルデバイスのジオメトリまたは相対ロケーションに少なくとも部分的に基づいて前記ターゲットＳＩＮＲを計算する、請求項２４に記載のコンピュータプログラム製品。
【請求項３０】
前記少なくとも１つのコンピュータに前記過負荷インジケータを受信させるための前記コードが、前記１つまたは複数の周囲アクセスポイントとのバックホールリンクを介して前記過負荷インジケータを受信する、請求項２４に記載のコンピュータプログラム製品。
【請求項３１】
前記コンピュータ可読媒体が、前記少なくとも１つのコンピュータに、前記ＰＳＤステップサイズを適用された前記前のＰＳＤを前記１つまたは複数のモバイルデバイスに送信させるためのコードをさらに備える、請求項２４に記載のコンピュータプログラム製品。
【請求項３２】
アクセスポイントに関係する過負荷インジケータを受信する過負荷判断コンポーネントと、
モバイルデバイスのターゲット信号対干渉雑音比（ＳＩＮＲ）を受信するターゲットＳＩＮＲ受信コンポーネントと、
前記過負荷インジケータと前記ターゲットＳＩＮＲとに少なくとも部分的に基づいて電力スペクトル密度（ＰＳＤ）ステップサイズを判断するＰＳＤステップサイズ選択コンポーネントと、
前記モバイルデバイスの前のＰＳＤに前記ＰＳＤステップサイズを適用することによって前記モバイルデバイスの新しいＰＳＤを作成するＰＳＤステップサイズ適用コンポーネントと
を備える、装置。
【請求項３３】
前記ＰＳＤステップサイズ選択コンポーネントが、２つの可能なＰＳＤステップサイズから前記ＰＳＤステップサイズを判断する、請求項３２に記載の装置。
【請求項３４】
前記ターゲットＳＩＮＲを達成するために必要なＰＳＤを計算するＰＳＤ計算コンポーネントをさらに備え、ここで前記ＰＳＤステップサイズ選択コンポーネントは、前記ターゲットＳＩＮＲを達成するために必要な前記ＰＳＤを前記モバイルデバイスの前記前のＰＳＤと比較することに少なくとも部分的に基づいて、前記２つの可能なＰＳＤステップサイズから前記ＰＳＤステップサイズを判断する、請求項３３に記載の装置。
【請求項３５】
前記ＰＳＤステップサイズ選択コンポーネントは、前記過負荷インジケータが前記アクセスポイントが過負荷をかけられていることを明示し、前記モバイルデバイスの前記前のＰＳＤが、前記ターゲットＳＩＮＲを達成するために必要な前記ＰＳＤよりも大きい場合、前記２つの可能なＰＳＤステップサイズのうちのより大きいＰＳＤステップサイズを判断し、前記ＰＳＤステップサイズ適用コンポーネントは、前記モバイルデバイスの前記前のＰＳＤから前記ＰＳＤステップサイズを減算する、請求項３４に記載の装置。
【請求項３６】
前記ＰＳＤステップサイズ選択コンポーネントは、前記過負荷インジケータが前記アクセスポイントが過負荷をかけられていないことを明示し、前記モバイルデバイスの前記前のＰＳＤが、前記ターゲットＳＩＮＲを達成するために必要な前記ＰＳＤよりも小さい場合、前記２つの可能なＰＳＤステップサイズのうちのより大きいＰＳＤステップサイズを判断し、前記ＰＳＤステップサイズ適用コンポーネントは、前記ＰＳＤステップサイズを前記モバイルデバイスの前記前のＰＳＤに加算する、請求項３４に記載の装置。
【請求項３７】
前記ターゲットＳＩＮＲ受信コンポーネントが、前記モバイルデバイスのジオメトリまたは相対ロケーションから前記ターゲットＳＩＮＲを計算する、請求項３２に記載の装置。
【請求項３８】
前記過負荷判断コンポーネントが、前記アクセスポイントとのバックホールリンクを介して前記過負荷インジケータを受信する、請求項３２に記載の装置。
【請求項３９】
前記新しいＰＳＤを前記モバイルデバイスに与える送信コンポーネントをさらに備える、請求項３２に記載の装置。
【発明の詳細な説明】
【技術分野】
【０００１】
相互参照（CROSS-REFERENCE）
本出願は、その全体が参照により本明細書に組み込まれる、２００８年８月２７日に出願された「POWER SPECTRUM DENSITY (PSD) CONTROL FOR WIRELESS COMMUNICATIONS」と題する米国仮出願第６１／０９２，１８５号の利益を主張する。
【０００２】
本開示は、一般にワイヤレス通信に関し、より詳細には、ワイヤレスネットワークにおいて通信するデバイスの電力制御に関する。
【背景技術】
【０００３】
ワイヤレス通信システムは、たとえば音声、データなど、様々なタイプの通信コンテンツを提供するために広く展開されている。典型的なワイヤレス通信システムは、利用可能なシステムリソース（たとえば、帯域幅、送信電力、．．．）を共有することによって複数のユーザとの通信をサポートすることが可能な多元接続システムとすることができ得る。そのような多元接続システムの例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどがある。さらに、これらのシステムは、ｔｈｉｒｄ  ｇｅｎｅｒａｔｉｏｎ  ｐａｒｔｎｅｒｓｈｉｐ  ｐｒｏｊｅｃｔ（３ＧＰＰ）、３ＧＰＰ  ｌｏｎｇ  ｔｅｒｍ  ｅｖｏｌｕｔｉｏｎ（ＬＴＥ）、ウルトラモバイルブロードバンド（ＵＭＢ）などの規格に準拠することができる。
【０００４】
一般に、ワイヤレス多元接続通信システムは、複数のモバイルデバイスのための通信を同時にサポートすることができ得る。各モバイルデバイスは、順方向リンクおよび逆方向リンク上の送信を介して１つまたは複数のアクセスポイント（たとえば、基地局、フェムトセル、ピコセル、中継ノードなど）と通信することができ得る。順方向リンク（またはダウンリンク）はアクセスポイントからモバイルデバイスへの通信リンクを指し、逆方向リンク（またはアップリンク）はモバイルデバイスからアクセスポイントへの通信リンクを指す。さらに、モバイルデバイスとアクセスポイントの間の通信は、単入力単出力（ＳＩＳＯ）システム、多入力単出力（ＭＩＳＯ）システム、多入力多出力（ＭＩＭＯ）システムなどを介して確立でき得る。さらに、ピアツーピアワイヤレスネットワーク構成では、モバイルデバイスは他のモバイルデバイスと（および／またはアクセスポイントは他のアクセスポイントと）通信することができる。
【０００５】
さらに、アクセスポイントは、カバレージエリアを表す１つまたは複数のセルをアクセスポイントの１つまたは複数のアンテナに与えることができる。異種アクセスポイントのセルは、最適なカバレージをモバイルデバイスに与えるために実質的に隣接するか、または重複することがある。ただし、この点について、セル中で通信しているモバイルデバイスは、別のセル内の通信と干渉することがある。したがって、アクセスポイントが、そのようなセル間干渉の可能性を緩和するかまたは減少させるためにモバイルデバイスの送信電力を制御することがある。サービング（serving）アクセスポイントは、モバイルデバイスから受信したダウンリンク経路損失報告に基づいて異種アクセスポイントと潜在的に干渉する１つまたは複数のモバイルデバイスを判断することができる。たとえば、モバイルデバイスは、周囲アクセスポイントに関係するダウンリンク経路損失を測定することができ、サービングアクセスポイントは、報告された経路損失を、モバイルデバイスが周囲アクセスポイントの近くにあることを示すしきい値と比較することに基づいて、セル間干渉の可能性を判断することができる。
【発明の概要】
【０００６】
以下で、請求する主題の様々な態様の基本的理解を与えるために、そのような態様の簡略化された概要を提示する。この概要は、すべての企図された態様の包括的な概観ではなく、主要または重要な要素を識別するものでも、そのような態様の範囲を定めるものでもない。その唯一の目的は、後で提示するより詳細な説明の導入として、開示する態様のいくつかの概念を簡略化された形で提示することである。
【０００７】
その１つまたは複数の実施形態および対応する開示に従って、複数のステップサイズを使用してモバイルデバイス送信電力を適応的に調整することを可能にすることに関して、様々な態様について説明する。たとえば、アクセスポイントは、周囲アクセスポイントから過負荷インジケータを受信し、１つまたは複数のモバイルデバイスが過負荷インジケータに少なくとも部分的に基づいてしきい値を超えて干渉しているかどうかを判断することができる。そうであれば、１つまたは複数のモバイルデバイスの電力スペクトル密度（ＰＳＤ）をステップサイズだけ減少させることができる。この例では、ターゲット信号対干渉雑音比（ＳＩＮＲ）を、ターゲットＳＩＮＲを達成するために必要とされるＰＳＤと比較することに少なくとも部分的に基づいて、ステップサイズを選択することができる。同様に、過負荷インジケータが、干渉がしきい値を上回っていないことを明示した場合、ターゲットＳＩＮＲを達成するために必要とされるＰＳＤに少なくとも部分的に基づいて選択されたステップサイズを使用して、１つまたは複数のモバイルデバイスのＰＳＤを増加させることができる。
【０００８】
関係する態様によれば、１つまたは複数の周囲アクセスポイントから過負荷インジケータを受信することと、１つまたは複数のモバイルデバイスに関係するターゲットＳＩＮＲを受信することとを含む方法が提供される。本方法はまた、過負荷インジケータとターゲットＳＩＮＲとに少なくとも部分的に基づいてＰＳＤステップサイズを選択することと、１つまたは複数のモバイルデバイスに関係する前のＰＳＤにＰＳＤステップサイズを適用することとを含む。
【０００９】
別の態様は、ワイヤレス通信装置に関する。ワイヤレス通信装置は、１つまたは複数のアクセスポイントから過負荷インジケータを受信することと、１つまたは複数のモバイルデバイスに関係するターゲットＳＩＮＲを達成するためにＰＳＤを計算することとを行うように構成された少なくとも１つのプロセッサを含むことができる。少なくとも１つのプロセッサは、過負荷インジケータと、ＰＳＤを１つまたは複数のモバイルデバイスに割り当てられた前のＰＳＤと比較することとに少なくとも部分的に基づいて、ＰＳＤステップサイズを選択することと、１つまたは複数のモバイルデバイスの新しいＰＳＤを作成するために、前のＰＳＤにＰＳＤステップサイズを適用することとを行うようにさらに構成される。ワイヤレス通信装置はまた、少なくとも１つのプロセッサに結合されたメモリを備える。
【００１０】
さらに別の態様は装置に関する。本装置は、アクセスポイントに関係する過負荷インジケータを受信するための手段と、モバイルデバイスのターゲットＳＩＮＲを受信するための手段とを含む。本装置は、過負荷インジケータとターゲットＳＩＮＲとに少なくとも部分的に基づいてＰＳＤステップサイズを選択するための手段と、モバイルデバイスの新しいＰＳＤを作成するために、モバイルデバイスの前のＰＳＤにＰＳＤステップサイズを適用するための手段とをさらに含む。
【００１１】
さらに別の態様は、少なくとも１つのコンピュータに、１つまたは複数の周囲アクセスポイントから過負荷インジケータを受信させるためのコードと、少なくとも１つのコンピュータに、１つまたは複数のモバイルデバイスに関係するＳＩＮＲを受信させるためのコードとを含むコンピュータ可読媒体を有することができるコンピュータプログラム製品に関する。コンピュータ可読媒体はまた、少なくとも１つのコンピュータに、過負荷インジケータとターゲットＳＩＮＲとに少なくとも部分的に基づいてＰＳＤステップサイズを選択させるためのコードと、少なくとも１つのコンピュータに、１つまたは複数のモバイルデバイスに関係する前のＰＳＤにＰＳＤステップサイズを適用させるためのコードとを備えることができる。
【００１２】
その上、追加の態様は、アクセスポイントに関係する過負荷インジケータを受信する過負荷判断コンポーネントと、モバイルデバイスのターゲットＳＩＮＲを受信するＳＩＮＲ受信コンポーネントとを含む装置に関する。本装置は、過負荷インジケータとターゲットＳＩＮＲとに少なくとも部分的に基づいてＰＳＤステップサイズを判断するＰＳＤステップサイズ選択コンポーネントと、モバイルデバイスの前のＰＳＤにＰＳＤステップサイズを適用することによってモバイルデバイスの新しいＰＳＤを作成するＰＳＤステップサイズ適用コンポーネントとをさらに含むことができる。
【００１３】
上記および関連する目的を達成するために、１つまたは複数の実施形態は、以下で十分に説明し、特に特許請求の範囲で指摘する特徴を備える。以下の説明および添付の図面に、１つまたは複数の実施形態のいくつかの例示的な態様を詳細に記載する。ただし、これらの態様は、様々な実施形態の原理を採用することができ得る様々な方法のほんのいくつかを示すものであり、説明する実施形態は、すべてのそのような態様およびそれらの均等物を含むものとする。
【図面の簡単な説明】
【００１４】
【図１】セル間干渉を回避するためにワイヤレスデバイスの電力スペクトル密度（ＰＳＤ）を調整するためのシステムのブロック図。
【図２】ワイヤレス通信環境内で採用するための例示的な通信装置の図。
【図３】過負荷インジケータと、ターゲット信号対干渉雑音比（ＳＩＮＲ）とに少なくとも部分的に基づいてデバイスのＰＳＤの調整を実行する例示的なワイヤレス通信ネットワークを示す図。
【図４】過負荷インジケータとターゲットＳＩＮＲとに基づいてＰＳＤを変更するためのＰＳＤステップサイズを選択する例示的な方法の流れ図。
【図５】過負荷インジケータとターゲットＳＩＮＲとに従って前のＰＳＤにステップサイズを適用する例示的な方法の流れ図。
【図６】過負荷インジケータとターゲットＳＩＮＲとに基づいてデバイスのＰＳＤを調整することを可能にする例示的な装置のブロック図。
【図７】本明細書で説明する機能の様々な態様を実装するために利用できる例示的なワイヤレス通信デバイスのブロック図。
【図８】本明細書で説明する機能の様々な態様を実装するために利用できる例示的なワイヤレス通信デバイスのブロック図。
【図９】本明細書に記載の様々な態様による例示的なワイヤレス多元接続通信システムを示す図。
【図１０】本明細書で説明する様々な態様が機能することができる、例示的なワイヤレス通信システムを示すブロック図。
【発明を実施するための形態】
【００１５】
次に、図面を参照しながら請求する主題の様々な態様について説明する。図面全体にわたって、同様の要素を指すのに同様の参照符号を使用する。以下の記述では、説明の目的で、１つまたは複数の態様の完全な理解を与えるために多数の具体的な詳細を記載する。ただし、そのような（１つまたは複数の）態様は、これらの具体的な詳細なしに実施でき得ることは明らかであろう。他の例では、１つまたは複数の態様の説明を円滑にするために、よく知られた構造およびデバイスをブロック図の形態で示す。
【００１６】
本出願で使用する「コンポーネント（構成要素）」、「モジュール」、「システム」などの用語は、コンピュータ関連のエンティティ、すなわち、ハードウェア、ファームウェア、ハードウェアとソフトウェアの組合せ、ソフトウェア、または実行中のソフトウェアのいずれかを指すものとする。たとえば、コンポーネントは、プロセッサ上で実行されるプロセス、集積回路、オブジェクト、実行可能ファイル、実行スレッド、プログラム、および／またはコンピュータとすることができるが、これらに限定されない。例として、コンピューティングデバイス上で実行されるアプリケーションと、そのコンピューティングデバイスの両方をコンポーネントとすることができる。１つまたは複数のコンポーネントがプロセスおよび／または実行スレッド内に常駐することができ、１つのコンポーネントを１つのコンピュータ上に配置し、および／または２つ以上のコンピュータ間に分散することができる。さらに、これらのコンポーネントは、様々なデータ構造を記憶している様々なコンピュータ可読媒体から実行することができる。これらのコンポーネントは、１つまたは複数のデータパケット（たとえば、ローカルシステム、分散システム内、および／または他のシステムを用いるインターネットなどのネットワーク全体の中の別のコンポーネントと信号を介して相互作用する１つのコンポーネントからのデータ）を有する信号によるなど、ローカルおよび／またはリモートプロセスを介して通信することができる。
【００１７】
さらに、本明細書ではワイヤレス端末および／または基地局に関する様々な態様について説明する。ワイヤレス端末は、ユーザにボイスおよび／またはデータ接続性を提供するデバイスを指すことができる。ワイヤレス端末は、ラップトップコンピュータまたはデスクトップコンピュータなどのコンピューティングデバイスに接続することができ、あるいは携帯情報端末（ＰＤＡ）などの自蔵式デバイスとすることができる。ワイヤレス端末はまた、システム、加入者ユニット、加入者局、移動局、モバイル、リモート局、アクセスポイント、リモート端末、アクセス端末、ユーザ端末、ユーザエージェント、ユーザデバイス、またはユーザ機器（ＵＥ）と呼ばれることがある。ワイヤレス端末は、加入者局、ワイヤレスデバイス、セルラー電話、ＰＣＳ電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、またはワイヤレスモデムに接続された他の処理デバイスとすることができる。基地局（たとえば、アクセスポイントまたは進化型ノードＢ（ｅＮＢ））は、１つまたは複数のセクタを通して、エアインターフェースを介してワイヤレス端末と通信する、アクセスネットワーク中のデバイスを指すことができる。基地局は、受信したエアインターフェースフレームをインターネットプロトコル（ＩＰ）パケットに変換することによって、ワイヤレス端末と、ＩＰネットワークを含むことができるアクセスネットワークの残部との間のルータとして働くことができる。基地局はまた、エアインターフェースの属性の管理を調整する。
【００１８】
その上、本明細書で説明する様々な機能は、ハードウェア、ソフトウェア、ファームウェア、またはそれらの組合せで実装できる。ソフトウェアで実装する場合、機能は、１つまたは複数の命令またはコードとしてコンピュータ可読媒体上に記憶するか、あるいはコンピュータ可読媒体を介して送信することができる。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスできる利用可能な媒体とすることができる。限定ではなく例として、そのようなコンピュータ可読媒体は、ＲＡＭ、ＲＯＭ、ＥＥＰＲＯＭ、ＣＤ−ＲＯＭ、あるいは他の光ディスクストレージ、磁気ディスクストレージまたは他の磁気記憶デバイス、もしくは命令またはデータ構造の形態の所望のプログラムコードを搬送または記憶するために使用でき、コンピュータによってアクセスできる任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）（ＢＤ）を含み、ディスク（disk）は、通常、データを磁気的に再生し、ディスク（disc）は、データをレーザで光学的に再生する。上記の組合せもコンピュータ可読媒体の範囲内に含めるべきである。
【００１９】
本明細書で説明する様々な技法は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリアＦＤＭＡ（ＳＣ−ＦＤＭＡ）システム、および他のそのようなシステムなど、様々なワイヤレス通信システムに対して使用できる。「システム」および「ネットワーク」という用語は、本明細書ではしばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ＣＤＭＡ２０００などの無線技術を実装することができる。ＵＴＲＡは、Ｗｉｄｅｂａｎｄ−ＣＤＭＡ（Ｗ−ＣＤＭＡ）およびＣＤＭＡの他の変形態を含む。さらに、ＣＤＭＡ２０００は、ＩＳ−２０００、ＩＳ−９５およびＩＳ−８５６規格をカバーする。ＴＤＭＡシステムはＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができる。ＯＦＤＭＡシステムは、Ｅｖｏｌｖｅｄ  ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用するＥ−ＵＴＲＡを使用する今度のリリースである。ＵＴＲＡ、Ｅ−ＵＴＲＡ、ＵＭＴＳ、ＬＴＥおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する組織からの文書に記載されている。さらに、ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する組織からの文書に記載されている。
【００２０】
いくつかのデバイス、コンポーネント、モジュールなどを含むことができるシステムに関して、様々な態様を提示する。様々なシステムは、追加のデバイス、コンポーネント、モジュールなどを含んでもよく、および／または各図に関連して論じるデバイス、コンポーネント、モジュールなどのすべてを含まなくてもよいことを理解および諒解されたい。これらの手法の組合せを使用することもできる。
【００２１】
次に図面を参照すると、図１に、セル間干渉を緩和するためにデバイス電力スペクトル密度を制御することを可能にする例示的なワイヤレスネットワーク１００が示されている。ワイヤレスネットワークアクセスをワイヤレスデバイス１０４に与えるためにワイヤレスデバイス１０４と通信するアクセスポイント１０２が与えられている。アクセスポイント１０２は、マクロセルアクセスポイント、フェムトセルまたはピコセルアクセスポイント、異種ワイヤレスデバイス、その部分、あるいはワイヤレスネットワークへのアクセスを与える実質的に任意のデバイスとすることができる。さらに、ワイヤレスデバイス１０４は、モバイルデバイス、その部分、またはワイヤレスネットワークへのアクセスを受信する実質的に任意のデバイスとすることができる。さらに、アクセスポイント１０２は、セル間干渉に関係する過負荷インジケータを受信するために、周囲アクセスポイント１０６と通信することができる。
【００２２】
一例によれば、ワイヤレスデバイス１０４は、ＯＦＤＭなどのワイヤレス通信技術を使用してアクセスポイント１０２と通信することができる。この点について、ワイヤレスデバイス１０４は、１つまたは複数のＯＦＤＭトーンを送信するために利用される電力を指す電力スペクトル密度（ＰＳＤ）を調整することができる。一例では、ワイヤレスデバイス１０４は、所与のリソース割当て内のアクセスポイント１０２、または所与のソース割当てに関係するアクセスポイント１０２から受信した情報に基づいて、そのリソース割当てに対するＰＳＤを調整することができる。アクセスポイント１０２は、起こりうるセル間干渉に関する受信情報に基づいて、ＰＳＤあるいは１つまたは複数の関連するパラメータをワイヤレスデバイス１０４に対して指定することができる。一例では、周囲アクセスポイント１０６は、周囲アクセスポイント１０６における干渉オーバサーマル（ＩｏＴ）レベルがしきい値を超えたかどうかに関する過負荷インジケータをアクセスポイント１０２に通信することができる。周囲アクセスポイント１０６（および／あるいは１つまたは複数の周囲アクセスポイント）からの過負荷インジケータに少なくとも部分的に基づいて、アクセスポイント１０２はワイヤレスデバイス１０４のＰＳＤレベルを判断することができる。
【００２３】
一例では、アクセスポイント１０２はワイヤレスデバイス１０４のターゲット信号対干渉雑音比（ＳＩＮＲ）を判断することができる。ターゲットＳＩＮＲは、ワイヤレスデバイス１０４に関係する収集された情報（たとえば、制御チャネルを介して受信したチャネル品質インジケータ（ＣＱＩ）、デバイスから受信したロケーションまたはジオメトリなど）に基づいて判断できる。たとえば、ターゲットＳＩＮＲは、パラメータと選択プロセスとに従って選択できる。選択プロセスは、ターゲットＳＩＮＲを選択するための実質的に任意のプロセスとすることができ、たとえば、高いジオメトリのデバイス、または極めて近接しているデバイスは、他のデバイスよりも高いターゲットＳＩＮＲを与えられることがある。選択プロセスは、ジオメトリ、ロケーションなどに基づくデバイスの公平な処理、いくつかのデバイスのスループットの向上、またはシステム全体のスループットの向上などを可能にするようにチューニングできる。さらに、ワイヤレスデバイス１０４のターゲットＳＩＮＲに基づいて、アクセスポイント１０２は、所与のリソース割当てに対するターゲットＳＩＮＲを達成するために必要なＰＳＤを計算することができる。これは、たとえば、リソース割当てにおける周波数、リソース割当てにおけるタイムスロットなどに基づくことができる。
【００２４】
過負荷インジケータと、ターゲットＳＩＮＲを達成するために必要とされるＰＳＤと、前のＰＳＤとに基づいて、アクセスポイント１０２は、ワイヤレスデバイス１０４に対するリソース割当てに関係するＰＳＤのステップサイズを選択することができる。たとえば、周囲アクセスポイント１０６からの過負荷インジケータが、ＩｏＴレベルがしきい値を超えたことを示した場合、アクセスポイント１０２はワイヤレスデバイス１０４のＰＳＤを減少させることができる。前のＰＳＤが、ターゲットＳＩＮＲを達成するために必要とされるＰＳＤよりも大きくない場合、アクセスポイント１０２は、小さいステップサイズ（たとえば、０．４ｄＢ）を選択し、そのステップサイズだけＰＳＤを減少させることができる。ＰＳＤが、ターゲットＳＩＮＲを達成するために必要とされるＰＳＤよりも大きい場合、アクセスポイント１０２は、より大きいステップサイズ（たとえば、０．８ｄＢ）を選択し、そのステップサイズだけＰＳＤを減少させることができる。たとえば、リソース割当てをワイヤレスデバイス１０４に与えるとき、アクセスポイント１０２は、前のＰＳＤをステップサイズだけ減少させることによって計算されたＰＳＤとともにＰＳＤ減少コマンドを送信することができる。本明細書で利用する、〜よりも大きいは、追加または代替として、実質的に〜よりも大きい、〜以上などを意味することがあることを諒解されたい。同様に、〜よりも小さいは、追加または代替として、実質的に〜よりも小さい、〜以下などを意味することがある。
【００２５】
周囲アクセスポイント１０６からの過負荷インジケータが、ＩｏＴレベルが、セル間干渉を示すしきい値レベルを超えていないことを示した場合、アクセスポイントは、ワイヤレスデバイス１０４のＰＳＤを増加させることができる。前のＰＳＤがターゲットＳＩＮＲを達成するために必要とされるＰＳＤよりも大きい場合、アクセスポイント１０２は、小さいステップサイズ（たとえば、０．４ｄＢ）を選択し、そのステップサイズだけＰＳＤを増加させることができる。しかしながら、前のＰＳＤがターゲットＳＩＮＲを達成するために必要とされるＰＳＤよりも大きくない場合、アクセスポイント１０２は、大きいステップサイズ（たとえば、０．８ｄＢ）を選択し、そのステップサイズだけＰＳＤを増加させることができる。たとえば、リソース割当てなどを与えるとき、アクセスポイント１０２は、ステップサイズを前のＰＳＤに加算することによって計算されたＰＳＤとともに、ＰＳＤ増加コマンドをワイヤレスデバイス１０４に送信することができる。この点について、ワイヤレスデバイス１０４に対する適応ＰＳＤレベル調整が行われる。様々なおよび／または追加のステップサイズが利用できることを諒解されたい。一例では、ステップサイズは、前のＰＳＤとターゲットＳＩＮＲを達成するために必要とされるＰＳＤとの間の差とすることができる。さらに、アクセスポイント１０２は、ワイヤレスデバイス１０４からのダウンリンク経路損失報告に基づいて（たとえば、周囲アクセスポイント１０６に関係する報告された経路損失が、周囲アクセスポイント１０６に極めて近接していることを示すしきい値レベルを下回った場合）、ワイヤレスデバイス１０４が周囲アクセスポイント１０６と潜在的に干渉すると最初に判断することができる。
【００２６】
次に図２を参照すると、ワイヤレス通信ネットワークに参加することができる通信装置２００が示されている。通信装置２００は、アクセスポイント、その部分、またはピアツーピア構成におけるモバイルデバイス、モバイル基地局、中継ノードなど、ワイヤレスネットワークにおいて通信するためのリソースを割り当てることができる実質的に任意のデバイスとすることができる。通信装置２００は、１つまたは複数のアクセスポイントが干渉により過負荷をかけられているかをどうかを識別することができる過負荷判断コンポーネント２０２と、通信装置２００と通信する１つまたは複数のデバイスのターゲットＳＩＮＲを得ることができるターゲットＳＩＮＲ受信コンポーネント２０４と、１つまたは複数のデバイスのターゲットＳＩＮＲを達成するために必要なＰＳＤを判断することができるＰＳＤ計算コンポーネント２０６と、１つまたは複数のアクセスポイントへの干渉を緩和するためにＰＳＤ変更コマンドを１つまたは複数のデバイスに（たとえば、リソース割当てにおいて）送信することができるＰＳＤ調整コンポーネント２０８とを含むことができる。
【００２７】
一例によれば、過負荷判断コンポーネント２０２は、周囲アクセスポイント（図示せず）への干渉に関する情報を受信することができる。たとえば、ワイヤードまたはワイヤレスバックホールリンクを介した周囲アクセスポイント、１つまたは複数のコアネットワークコンポーネント（図示せず）、周囲アクセスポイントと通信している１つまたは複数のデバイス（図示せず）などから、その情報を受信することができる。その情報は、所与の周囲アクセスポイントにおけるＩｏＴがしきい値を上回っているかどうかを明示する１つまたは複数の過負荷インジケータに関することができる。この情報に少なくとも部分的に基づいて、過負荷判断コンポーネント２０２は、１つまたは複数の周囲アクセスポイントが、ワイヤレスネットワークアクセスを受信するために通信装置２００に接続された１つまたは複数のデバイスによって干渉されているかどうかを識別することができる。ターゲットＳＩＮＲ受信コンポーネント２０４は、通信装置２００と通信している１つまたは複数のデバイスのターゲットＳＩＮＲを判断することができる。これは、デバイスジオメトリ、ロケーションなど、１つまたは複数のデバイスによって受信された情報に基づいて判断でき、前に説明した信号強度など、１つまたは複数のデバイスから観測された情報に基づいて判断できる。
【００２８】
さらに、ＰＳＤ計算コンポーネント２０６は、１つまたは複数のデバイスに対してスケジュールすべきリソースに対するターゲットＳＩＮＲを達成するために必要なＰＳＤを判断することができる。これは、スケジュールされたリソースの周波数、スケジュールされたリソースのタイムスロットなどに基づいて計算できる。たとえば、周波数が異なれば、周波数スペクトルの性質、周波数空間を利用しているデバイスなどに基づいて、所与のＳＩＮＲにおいてより大きいまたは異なる電力を受信する必要がある。ＰＳＤ調整コンポーネント２０８は、過負荷判断と、ターゲットＳＩＮＲを達成するために必要なＰＳＤとに基づいて、前のＰＳＤに適用すべきステップサイズを判断することができる。説明したように、ＰＳＤ調整コンポーネント２０８は、ターゲットＳＩＮＲのために必要なＰＳＤと前のＰＳＤとの間の差に基づいて、小さいサイズまたはより大きいサイズなど、複数のステップサイズから選択することができる。別の例では、ＰＳＤ調整コンポーネント２０８は、前のＰＳＤを、ターゲットＳＩＮＲに到達するために必要とされるＰＳＤに設定するステップサイズを利用することができる。一例では、アクセスポイントが過負荷をかけられておらず、前のＰＳＤが、ターゲットＳＩＮＲを満たすために必要とされるＰＳＤよりも小さいとき、このステップサイズを利用することができる。別の例では、アクセスポイントが過負荷をかけられ、前のＰＳＤが、ターゲットＳＩＮＲを満たすために必要とされるＰＳＤよりも大きいとき、このステップサイズを利用することができる。たとえば、ＰＳＤ調整コンポーネント２０８は、前のＰＳＤにステップサイズを適用することによって計算されたＰＳＤを含むＰＳＤ変更コマンドをデバイスに送信することができる。
【００２９】
次に図３を参照すると、ワイヤレスネットワークにおけるセル間干渉を緩和するためにワイヤレスデバイスのＰＳＤを制御することを可能にするワイヤレス通信システム３００が示されている。アクセスポイント１０２および周囲アクセスポイント１０６は、説明したように、ワイヤレスネットワークおよび／またはその部分と通信するためのリソースを割り当てる（たとえば、独立して電力供給されるデバイスだけではなく、モデムをも含む）実質的に任意のタイプの基地局またはモバイルデバイスとすることができる。さらに、ワイヤレスデバイス１０４は、ワイヤレスネットワークアクセスを受信するモバイルデバイス、別のデバイス、またはその部分とすることができる。さらに、システム３００はＭＩＭＯシステムとし、および／あるいは１つまたは複数のワイヤレスネットワークシステム規格（たとえば、ＥＶ−ＤＯ、３ＧＰＰ、３ＧＰＰ２、３ＧＰＰ  ＬＴＥ、ＷｉＭＡＸなど）に準拠することができる。さらに、たとえば、アクセスポイント１０２のコンポーネントおよび機能は、周囲アクセスポイント１０６中に存在することができ、その逆も同様である。
【００３０】
アクセスポイント１０２は、１つまたは複数の周囲アクセスポイントにおいてセル間干渉を検出することができる過負荷判断コンポーネント２０２と、ワイヤレスデバイスのターゲットＳＩＮＲを得ることができるターゲットＳＩＮＲ受信コンポーネント２０４と、ワイヤレスデバイスに対するリソースをスケジュールすることができるリソース割当てコンポーネント３０２と、ワイヤレスデバイスのターゲットＳＩＮＲを達成するために必要なＰＳＤを計算することができるＰＳＤ計算コンポーネント２０６と、ターゲットＳＩＮＲを達成するために必要な計算されたＰＳＤを達成するために、前のＰＳＤに基づいてステップサイズを識別することができるＰＳＤステップサイズ判断コンポーネント３０４と、前のＰＳＤにステップサイズを適用することによって新しいＰＳＤを計算することができるＰＳＤステップサイズ適用コンポーネント３０６と、スケジュールされたリソースおよび／またはステップサイズに基づく関係するＰＳＤをワイヤレスデバイスに通信することができる送信コンポーネント３０８とを備えることができる。
【００３１】
ワイヤレスデバイス１０４は、アクセスポイントからリソース割当てを得ることができる受信コンポーネント３１０と、アクセスポイントから受信した情報に基づいてリソース割当てのためのＰＳＤを判断することができるＰＳＤ受信コンポーネント３１２と、ステップサイズを適用することによってＰＳＤを変更することができるＰＳＤ調整コンポーネント３１４とを含むことができる。周囲アクセスポイント１０６は、周囲アクセスポイント１０６が動作する周波数空間中で干渉を測定するＩｏＴレベル判断コンポーネント３１６と、ＩｏＴが周囲アクセスポイント１０６においてしきい値レベルを上回っているかどうかを１つまたは複数のアクセスポイントにシグナリングする過負荷指示コンポーネント３１８とを備える。
【００３２】
一例によれば、ＩｏＴレベル判断コンポーネント３１６は、総受信干渉レベルを測定し、１つまたは複数のしきい値レベルなどに従った前の通信に基づいて、総受信干渉レベルが、コアネットワークから受信した、一構成、仕様によるパラメータとすることができるしきい値レベルを超えたかどうかを判断することができる。過負荷指示コンポーネント３１８は、ＩｏＴがしきい値レベルを上回っているかどうかを明示する指示を、アクセスポイント１０２あるいは１つまたは複数の異種アクセスポイントに（たとえば、無線シグナリング、バックホール通信を介して、コアワイヤレスネットワークを通して、周囲アクセスポイント１０６と前に通信した１つまたは複数のデバイスなどを使用して）送信することができる。
【００３３】
過負荷判断コンポーネント２０２は、周囲アクセスポイント１０６および／あるいは１つまたは複数の異種周囲アクセスポイントから過負荷指示を受信することができる。一例では、過負荷判断コンポーネント２０２は、（たとえば、ワイヤレスデバイスと周囲アクセスポイント１０６とに関係する受信したダウンリンク経路損失報告に基づいて）潜在的に過負荷を生じるワイヤレスデバイスを識別することができる。一例では、過負荷判断コンポーネント２０２は、１つまたは複数の周囲アクセスポイントからの過負荷インジケータを組み合わせること（たとえば、インジケータを論理和演算すること）に基づいて、ワイヤレスネットワークの一部分が過負荷をかけられているかどうかを判断することができる。ターゲットＳＩＮＲ受信コンポーネント２０４は、ワイヤレスデバイス１０４のターゲットＳＩＮＲを得るか、またはさもなければ計算することができる。説明したように、ターゲットＳＩＮＲは、ジオメトリ、ロケーションなどのワイヤレスデバイス１０４に関する情報など、および公平な割当て、スループットの向上などを与えるターゲットＳＩＮＲ選択基準に基づいて計算できる。
【００３４】
リソース割当てコンポーネント３０２は、アクセスポイント１０２と通信するためのリソースをワイヤレスデバイス１０４に許可することができる。ＰＳＤ計算コンポーネント２０６は、ＯＦＤＭ構成におけるワイヤレスデバイス１０４に関する周波数および／またはタイムスロットなどのリソース許可の１つまたは複数の態様に基づくことができる、ワイヤレスデバイス１０４のターゲットＳＩＮＲを達成するために必要なＰＳＤを判断することができる。この点について、ＰＳＤステップサイズ判断コンポーネント３０４は、ワイヤレスデバイス１０４のターゲットＳＩＮＲを達成するために必要なＰＳＤに到達するように、アクセスポイント１０２によってワイヤレスデバイス１０４に割り当てられた前のＰＳＤに適用すべきステップサイズを選択することができる。説明したように、これは、ターゲットＳＩＮＲを達成するために必要とされるＰＳＤを満たすためのステップサイズ、または前のＰＳＤとターゲットＳＩＮＲを達成するために必要とされるＰＳＤとの間の関係に基づいて複数のステップサイズから選択されたステップサイズとすることができる。
【００３５】
たとえば、過負荷判断コンポーネント２０２が、システムが過負荷をかけられていると判断した場合、ＰＳＤステップサイズ判断コンポーネント３０４は、前のＰＳＤがターゲットＳＩＮＲを達成するために必要とされるＰＳＤよりも大きくない場合にはＰＳＤを減少させるための小さいステップサイズを割り当て、または、前のＰＳＤがターゲットＳＩＮＲを達成するために必要とされるＰＳＤよりも大きい場合にはＰＳＤを減少させるためのより大きいステップサイズを割り当てることができる。過負荷判断コンポーネント２０２が、システムが過負荷をかけられていないと判断した場合、ＰＳＤステップサイズ判断コンポーネント３０４は、説明したように、前のＰＳＤがターゲットＳＩＮＲを達成するために必要とされるＰＳＤよりも大きい場合にはＰＳＤを増加させるための小さいステップサイズを選択し、または、前のＰＳＤがターゲットＳＩＮＲを達成するために必要とされるＰＳＤよりも大きくない場合にはより大きいステップサイズを選択することができる。ＰＳＤステップサイズ適用コンポーネント３０６は、ＰＳＤにステップサイズを適用することによって（たとえば、説明したように、ステップサイズに従って増加または減少させることによって）ワイヤレスデバイス１０４の新しいＰＳＤを計算することができる。送信コンポーネント３０８は、リソース許可および／または新しいＰＳＤ情報をワイヤレスデバイス１０４に与えることができる。受信コンポーネント３１０はリソース許可を得ることができ、ＰＳＤ受信コンポーネント３１２は、関係するＰＳＤまたはステップサイズを得ることができる。ＰＳＤ調整コンポーネント３１４は、たとえば、ワイヤレスデバイス１０４のＰＳＤを、いくつかのＯＦＤＭトーンを介して送信するためにアクセスポイント１０２によって指定されたＰＳＤに設定することができる。ステップサイズが受信された場合、ＰＳＤ調整コンポーネント３１４は、ステップサイズに従ってＰＳＤを増加または減少させることができる。いずれの場合も、説明したように、セル間干渉緩和が行われる。
【００３６】
次に図４〜図５を参照すると、本明細書に記載の様々な態様に従って実行できる方法が示されている。説明を簡潔にする目的で、方法を一連の行為として図示し説明するが、いくつかの行為は、１つまたは複数の態様によれば、本明細書で図示し説明する順序とは異なる順序で、および／または他の行為と同時に行われるので、方法は行為の順序によって限定されないことを理解し、諒解されたい。たとえば、方法は、状態図など、一連の相互に関係する状態または事象として代替的に表現できることを、当業者は理解および諒解するであろう。さらに、１つまたは複数の態様による方法を実装するために、図示のすべての行為が必要とされるわけではない。
【００３７】
図４を参照すると、ワイヤレスデバイスの前のＰＳＤを変更するためのＰＳＤステップサイズを判断するための方法４００が示されている。４０２において、システムが過負荷をかけられているかどうかを判断する。説明したように、これは、１つまたは複数のアクセスポイントから過負荷インジケータを受信することと、アクセスポイントの一部分がしきい値レベルを上回るＩｏＴを経験しているかどうかを判断することとに関する。そうでない場合、４０４において、前のＰＳＤがターゲットＳＩＮＲのためのＰＳＤよりも小さいかどうかを判断する。ＰＳＤおよびターゲットＳＩＮＲは、説明したように、ネットワークアクセスが与えられたワイヤレスデバイスに関係することがある。前のＰＳＤがターゲットＳＩＮＲのためのＰＳＤよりも小さくない場合、４０６において、説明したように、次のＰＳＤを、前のＰＳＤに加算された小さいステップサイズに設定する。前のＰＳＤがターゲットＳＩＮＲのためのＰＳＤよりも小さい場合、４０８において、次のＰＳＤを、前のＰＳＤに加算されたより大きいステップサイズに設定する。４０２において、システムが過負荷をかけられている場合、４１０において、前のＰＳＤがターゲットＳＩＮＲのためのＰＳＤよりも大きいかどうかを判断する。そうであれば、４１２において、次のＰＳＤを、前のＰＳＤから減算されたより大きいステップサイズに設定する。４１０において、前のＰＳＤがターゲットＳＩＮＲのためのＰＳＤよりも大きくない場合、４１４において、次のＰＳＤを、前のＰＳＤから減算された小さいステップサイズに設定する。いずれの場合も、４１６において、次のＰＳＤをデバイスに送信する。一例では、これはリソース割当ての一部である。
【００３８】
図５を参照すると、過負荷インジケータとターゲットＳＩＮＲとに基づいて判断されたＰＳＤステップサイズに従ってモバイルデバイスのＰＳＤを変更することを可能にする方法５００が示されている。５０２において、１つまたは複数の周囲アクセスポイントから過負荷インジケータを受信する。説明したように、バックホールリンクを介して、エアインターフェースを介して、１つまたは複数のネットワークコンポーネントなどから、過負荷インジケータを受信する。５０４において、１つまたは複数のモバイルデバイスに関係するターゲットＳＩＮＲを受信する。説明したように、一例では、モバイルデバイスのジオメトリ、相対ロケーションなどに基づいてターゲットＳＩＮＲを計算する。５０６において、過負荷インジケータとターゲットＳＩＮＲとに少なくとも部分的に基づいてＰＳＤステップサイズを選択する。説明したように、過負荷インジケータに基づいて、システムあるいは１つまたは複数のアクセスポイントが過負荷をかけられているかどうかを判断する。
【００３９】
システムが過負荷をかけられている場合、たとえば、前のＰＳＤがターゲットＳＩＮＲを達成するために必要なＰＳＤよりも大きくない場合には小さいＰＳＤステップサイズを選択するが、ＰＳＤがターゲットＳＩＮＲを達成するために必要なＰＳＤよりも大きい場合にはより大きいステップサイズを選択する。同様に、システムが過負荷をかけられていない場合、たとえば、前のＰＳＤがターゲットＳＩＮＲを達成するために必要なＰＳＤよりも小さくない場合には小さいＰＳＤステップサイズを選択するが、前のＰＳＤがターゲットＳＩＮＲを達成するために必要なＰＳＤよりも小さい場合にはより大きいＰＳＤステップサイズを選択する。５０８において、１つまたは複数のモバイルデバイスに関係する前のＰＳＤにＰＳＤステップサイズを適用する。したがって、システムが過負荷をかけられている場合、たとえば、前のＰＳＤをそのステップサイズだけ減少させ、システムが過負荷をかけられていない場合、前のＰＳＤをそのステップサイズだけ増加させる。
【００４０】
本明細書で説明する１つまたは複数の態様によれば、アクセスポイントと潜在的に干渉しているデバイスを判断すること、システムまたはアクセスポイントが過負荷をかけられているかどうかを判断することなどに関して、推論を行うことができることを諒解されたい。本明細書で使用する「推論する」または「推論」という用語は、概して、事象および／またはデータを介して捕捉された観察のセットから、システム、環境、および／またはユーザの状態について推理する、またはその状態を推論するプロセスを指す。推論は、特定のコンテキストまたはアクションを識別するために採用でき、あるいは、たとえば、状態の確率分布を発生することができる。推論は、確率的、すなわち、データおよび事象の考察に基づく当該の状態の確率分布の計算とすることができる。推論は、事象および／またはデータのセットからより高いレベルの事象を構成するために採用される技法を指すこともある。そのような推論から、事象が時間的に緊切して相関するか否かにかかわらず、ならびに事象およびデータが１つまたは複数の事象およびデータの発生源に由来するかどうかにかかわらず、観測された事象および／または記憶された事象データのセットから新しい事象またはアクションが構成される。
【００４１】
図６を参照すると、過負荷インジケータとターゲットＳＩＮＲとに基づいて判断されたステップサイズだけＰＳＤを変更するシステム６００が示されている。たとえば、システム６００は、少なくとも部分的に基地局、モバイルデバイスなどの内部に常駐することができる。システム６００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム６００は、連携して動作することができる電気的コンポーネントの論理グルーピング６０２を含む。たとえば、論理グルーピング６０２は、アクセスポイントに関係する過負荷インジケータを受信するための電気的コンポーネント６０４を含むことができる。説明したように、これは、１つまたは複数のアクセスポイントからバックホールリンクを介して、エアインターフェースを介して、１つまたは複数のアクセスポイントと通信しているデバイスなどから、受信できる。さらに、論理グルーピング６０２は、モバイルデバイスのターゲットＳＩＮＲを受信するための電気的コンポーネント６０６を備えることができる。説明したように、ターゲットＳＩＮＲは、モバイルデバイスのジオメトリ、相対ロケーションなどに基づいて計算できる。別の例では、ターゲットＳＩＮＲは、モバイルデバイスあるいは１つまたは複数の異種デバイスから受信できる。
【００４２】
その上、論理グルーピング６０２は、過負荷インジケータとターゲットＳＩＮＲとに少なくとも部分的に基づいてＰＳＤステップサイズを選択するための電気的コンポーネント６０８を含む。説明したように、電気的コンポーネント６０４は、ターゲットＳＩＮＲを達成するために必要なＰＳＤを、モバイルデバイスに割り当てられた前のＰＳＤと比較することに少なくとも部分的に基づいて、ステップサイズを選択することができる。たとえば、過負荷インジケータが、アクセスポイントが過負荷をかけられていることを明示した場合、電気的コンポーネント６０４は、モバイルデバイスに割り当てられた前のＰＳＤがターゲットＳＩＮＲを達成するためのＰＳＤよりも大きくない場合には小さいステップサイズを選択し、またはさもなければ、より大きいステップサイズを選択することができる。同様に、説明したように、過負荷インジケータが、アクセスポイントが過負荷をかけられていないことを明示した場合、電気的コンポーネント６０４は、前に割り当てられたＰＳＤがターゲットＳＩＮＲを達成するために必要とされるＰＳＤよりも小さくない場合には小さいステップサイズを選択し、またはさもなければ、より大きいステップサイズを選択することができる。さらに、論理グルーピング６０２はまた、モバイルデバイスの新しいＰＳＤを作成するために、モバイルデバイスの前のＰＳＤにＰＳＤステップサイズを適用するための電気的コンポーネント６１０を含むことができる。
【００４３】
説明したように、アクセスポイントが過負荷をかけられている場合、電気的コンポーネント６１０は、前のＰＳＤをそのステップサイズだけ減少させることができ、アクセスポイントが過負荷をかけられていない場合、その逆も同様である。さらに、論理グルーピング６０２は、ターゲットＳＩＮＲを達成するために必要なＰＳＤを計算するための電気的コンポーネント６１２を含むことができる。説明したように、これは、モバイルデバイスのジオメトリ、相対ロケーションなどに基づくことができる。さらに、論理グルーピング６０２は、新しいＰＳＤをモバイルデバイスに送信するための電気的コンポーネント６１４を含むことができる。さらに、システム６００は、電気的コンポーネント６０４、６０６、６０８、６１０、６１２、および６１４に関連付けられた機能を実行するための命令を保持するメモリ６１６を含むことができる。メモリ６１６の外部にあるものとして示されているが、電気的コンポーネント６０４、６０６、６０８、６１０、６１２、および６１４の１つまたは複数は、メモリ６１６の内部に存在することができることを理解されたい。
【００４４】
図７は、本明細書で説明する機能の様々な態様を実装するために利用できるシステム７００のブロック図である。一例では、システム７００は、基地局またはｅＮＢ７０２を含む。図示のように、ｅＮＢ７０２は、１つまたは複数の受信（Ｒｘ）アンテナ７０６を介して１つまたは複数のＵＥ７０４から（１つまたは複数の）信号を受信し、１つまたは複数の送信（Ｔｘ）アンテナ７０８を介して１つまたは複数のＵＥ７０４にその信号を送信することができる。さらに、ｅＮＢ７０２は、（１つまたは複数の）受信アンテナ７０６から情報を受信する受信機７１０を備えることができる。一例では、受信機７１０は、受信した情報を復調する復調器（Ｄｅｍｏｄ）７１２に動作可能に結合できる。次いで、復調されたシンボルは、プロセッサ７１４によって分析できる。プロセッサ７１４は、コードクラスタ、アクセス端末割当て、それに関するルックアップテーブル、固有のスクランブル系列に関する情報、および／または他の好適なタイプの情報を記憶することができるメモリ７１６に結合できる。一例では、ｅＮＢ７０２は、方法４００、５００、ならびに／または他の同様のおよび適切な方法を実行するために、プロセッサ７１４を採用することができる。ｅＮＢ７０２はまた、送信機７２０によって（１つまたは複数の）送信アンテナ７０８を介して送信するために信号を多重化することができる変調器７１８を含むことができる。
【００４５】
図８は、本明細書で説明する機能の様々な態様を実装するために利用できる別のシステム８００のブロック図である。一例では、システム８００はモバイル端末８０２を含む。図示のように、モバイル端末８０２は、１つまたは複数のアンテナ８０８を介して、１つまたは複数の基地局８０４から（１つまたは複数の）信号を受信し、１つまたは複数の基地局８０４にその信号を送信することができる。さらに、モバイル端末８０２は、（１つまたは複数の）アンテナ８０８から情報を受信する受信機８１０を備えることができる。一例では、受信機８１０は、受信した情報を復調する復調器（Ｄｅｍｏｄ）８１２に動作可能に結合できる。次いで、復調されたシンボルは、プロセッサ８１４によって分析できる。プロセッサ８１４は、モバイル端末８０２に関するデータおよび／またはプログラムコードを記憶することができるメモリ８１６に結合できる。さらに、モバイル端末８０２は、方法４００、５００、ならびに／または他の同様のおよび適切な方法を実行するために、プロセッサ８１４を採用することができる。モバイル端末８０２はまた、前の図で説明した１つまたは複数のコンポーネントを採用して、説明した機能を実行することができる。一例では、コンポーネントは、プロセッサ８１４によって実装できる。モバイル端末８０２はまた、送信機８２０によって（１つまたは複数の）アンテナ８０８を介して送信するために信号を多重化することができる変調器８１８を含むことができる。
【００４６】
次に図９を参照すると、様々な態様によるワイヤレス多元接続通信システムの図が与えられている。一例では、アクセスポイント９００（ＡＰ）が複数のアンテナグループを含む。図９に示すように、１つのアンテナグループはアンテナ９０４および９０６を含み、別のアンテナグループはアンテナ９０８および９１０を含み、別のアンテナグループはアンテナ９１２および９１４を含むことができる。図９では、アンテナグループごとに２つのアンテナのみが示されているが、アンテナグループごとにより多いまたはより少ないアンテナが利用でき得ることを諒解されたい。別の例では、アクセス端末９１６はアンテナ９１２および９１４と通信中とすることができ、アンテナ９１２および９１４は、順方向リンク９２０上でアクセス端末９１６に情報を送信し、逆方向リンク９１８上でアクセス端末９１６から情報を受信する。追加および／または代替として、アクセス端末９２２はアンテナ９０６および９０８と通信中とすることができ、アンテナ９０６および９０８は、順方向リンク９２６上でアクセス端末９２２に情報を送信し、逆方向リンク９２４上でアクセス端末９２２から情報を受信する。周波数分割複信システムでは、通信リンク９１８、９２０、９２４および９２６は、通信のための異なる周波数を使用することができる。たとえば、順方向リンク９２０は、逆方向リンク９１８によって使用される周波数とは異なる周波数を使用することができ得る。
【００４７】
アンテナの各グループ、および／またはアンテナが通信するために設計されたエリアは、アクセスポイントのセクタと呼ばれることがある。一態様によれば、アンテナグループは、アクセスポイント９００によってカバーされるエリアのセクタ中でアクセス端末に通信するように設計できる。順方向リンク９２０および９２６上の通信では、アクセスポイント９００の送信アンテナは、異なるアクセス端末９１６および９２２に対して順方向リンクの信号対雑音比を改善するためにビームフォーミングを利用することができる。また、アクセスポイントが、ビームフォーミングを使用して、そのカバレージ中にランダムに分散されたアクセス端末に送信するほうが、アクセスポイントが単一のアンテナを介してすべてのそのアクセス端末に送信するよりも、隣接セル中のアクセス端末への干渉が小さくなる。
【００４８】
アクセスポイント、たとえばアクセスポイント９００は、端末と通信するために使用される固定局とすることができ、基地局、ｅＮＢ、アクセスネットワーク、および／または他の好適な用語で呼ばれることもある。さらに、アクセス端末、たとえばアクセス端末９１６または９２２は、モバイル端末、ユーザ機器、ワイヤレス通信デバイス、端末、ワイヤレス端末、および／または他の適切な用語で呼ばれることもある。
【００４９】
次に図１０を参照すると、本明細書で説明する様々な態様が機能することができる、例示的なワイヤレス通信システム１０００を示すブロック図が与えられている。一例では、システム１０００は、送信機システム１０１０と受信機システム１０５０とを含む多入力多出力（ＭＩＭＯ）システムである。ただし、送信機システム１０１０および／または受信機システム１０５０は、たとえば、（たとえば、基地局上の）複数の送信アンテナが１つまたは複数のシンボルストリームを単一のアンテナデバイス（たとえば、移動局）に送信することができる、多入力単出力システムにも適用できることを諒解されたい。さらに、本明細書で説明する送信機システム１０１０および／または受信機システム１０５０の態様は、単出力単入力アンテナシステムに関して利用できることを諒解されたい。
【００５０】
一態様によれば、送信機システム１０１０において、いくつかのデータストリームのトラフィックデータがデータソース１０１２から送信（ＴＸ）データプロセッサ１０１４に供給される。一例では、各データストリームは、次いで、それぞれの送信アンテナ１０２４を介して送信できる。さらに、ＴＸデータプロセッサ１０１４は、符号化データを供給するために、それぞれのデータストリーム用に選択された特定の符号化方式に基づいて、データストリームごとにトラフィックデータをフォーマット化し、符号化し、インタリーブすることができる。一例では、各データストリームの符号化データは、次いで、ＯＦＤＭ技術を使用してパイロットデータで多重化できる。パイロットデータは、たとえば、既知の方法で処理される既知のデータパターンとすることができる。さらに、パイロットデータは、チャネル応答を推定するために受信機システム１０５０において使用できる。送信機システム１０１０に戻ると、各データストリームの多重化されたパイロットデータおよび符号化データは、変調シンボルを供給するために、それぞれのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）できる。一例では、各データストリームのデータレート、符号化、および変調は、プロセッサ１０３０上で実行される命令および／またはプロセッサ１０３０によって与えられる命令によって判断できる。
【００５１】
次に、すべてのデータストリームの変調シンボルはＴＸプロセッサ１０２０に供給でき、ＴＸプロセッサ１０２０は、（たとえば、ＯＦＤＭ用に）変調シンボルをさらに処理することができる。次いで、ＴＸ  ＭＩＭＯプロセッサ１０２０は、ＮT個の変調シンボルストリームをＮT個のトランシーバ１０２２ａ〜１０２２ｔに供給することができる。一例では、各トランシーバ１０２２は、それぞれのシンボルストリームを受信し、処理して、１つまたは複数のアナログ信号を供給することができる。次いで、各トランシーバ１０２２は、それらのアナログ信号をさらに調整（たとえば、増幅、フィルタ処理、およびアップコンバート）して、ＭＩＭＯチャネルを介して送信するのに適した変調信号を供給することができる。したがって、トランシーバ１０２２ａ〜１０２２ｔからのＮT個の変調信号は、次いで、それぞれ、ＮT個のアンテナ１０２４ａ〜１０２４ｔから送信できる。
【００５２】
別の態様によれば、送信された変調信号は、ＮR個のアンテナ１０５２ａ〜１０５２ｒによって受信機システム１０５０において受信できる。次いで、各アンテナ１０５２から受信した信号は、それぞれのトランシーバ１０５４に供給できる。一例では、各トランシーバ１０５４は、それぞれの受信信号を調整（たとえば、フィルタ処理、増幅、およびダウンコンバート）し、調整された信号をデジタル化して、サンプルを供給し、次いで、それらのサンプルを処理して、対応する「受信」シンボルストリームを供給することができる。次いで、ＲＸ  ＭＩＭＯ／データプロセッサ１０６０は、特定の受信機処理技術に基づいてＮR個のトランシーバ１０５４からＮR個の受信シンボルストリームを受信し、処理して、ＮT個の「検出」シンボルストリームを供給することができる。一例では、各検出シンボルストリームは、対応するデータストリームに関して送信される変調シンボルの推定であるシンボルを含むことができる。次いで、ＲＸプロセッサ１０６０は、各検出シンボルストリームを少なくとも部分的に復調し、デインタリーブし、復号することによって、各シンボルストリームを処理して、対応するデータストリームに関するトラフィックデータを回復することができる。したがって、ＲＸデータプロセッサ１０６０による処理は、送信機システム１０１０においてＴＸ  ＭＩＭＯプロセッサ１０２０およびＴＸデータプロセッサ１０１６によって実行される処理を補足することができる。ＲＸプロセッサ１０６０は、さらに、処理されたシンボルストリームをデータシンク１０６４に供給することができる。
【００５３】
一態様によれば、ＲＸプロセッサ１０６０によって発生されるチャネル応答推定は、受信機において空間／時間処理を実行し、電力レベルを調整し、変調レートまたは方式を変更し、および／あるいは他の適切なアクションを実行するために使用できる。さらに、ＲＸプロセッサ１０６０は、たとえば、検出シンボルストリームの信号対雑音干渉比（ＳＮＲ）などのチャネル特性をさらに推定することができる。次いで、ＲＸプロセッサ１０６０は、推定されたチャネル特性をプロセッサ１０７０に供給することができる。一例では、ＲＸプロセッサ１０６０および／またはプロセッサ１０７０は、システムに関する「動作」ＳＮＲの推定をさらに導出することができる。次いで、プロセッサ１０７０は、通信リンクおよび／または受信データストリームに関する情報を備えることができるチャネル状態情報（ＣＳＩ）を与えることができる。この情報は、たとえば、動作ＳＮＲを含むことができる。次いで、ＣＳＩは、ＴＸデータプロセッサ１０１８によって処理し、変調器１０８０によって変調し、トランシーバ１０５４ａ〜１０５４ｒによって調整し、送信機システム１０１０に返信することができる。さらに、受信機システム１０５０におけるデータソース１０１６は、ＴＸデータプロセッサ１０１８によって処理される追加のデータを与えることができる。
【００５４】
送信機システム１０１０に戻ると、次いで、受信機システム１０５０からの変調信号は、アンテナ１０２４によって受信し、トランシーバ１０２２によって調整し、復調器１０４０によって復調し、ＲＸデータプロセッサ１０４２によって処理して、受信機システム１０５０によって報告されたＣＳＩを回復することができる。一例では、報告されたＣＳＩは、次いで、１つまたは複数のデータストリームのために使用されるべきデータレートならびに符号化および変調方式を判断するために、プロセッサ１０３０に供給し、使用することができる。次いで、判断された符号化および変調方式は、受信機システム１０５０への後の送信における量子化および／または使用のために、トランシーバ１０２２に供給できる。追加および／または代替として、報告されたＣＳＩは、ＴＸデータプロセッサ１０１４およびＴＸ  ＭＩＭＯプロセッサ１０２０のための様々な制御を発生するためにプロセッサ１０３０によって使用できる。別の例では、ＲＸデータプロセッサ１０４２によって処理されるＣＳＩおよび／または他の情報は、データシンク１０４４に供給できる。
【００５５】
一例では、送信機システム１０１０におけるプロセッサ１０３０および受信機システム１０５０におけるプロセッサ１０７０は、それらのそれぞれのシステムにおいて動作を指令する。さらに、送信機システム１０１０におけるメモリ１０３２および受信機システム１０５０におけるメモリ１０７２は、それぞれ、プロセッサ１０３０および１０７０によって使用されるプログラムコードおよびデータの記憶域を与えることができる。さらに、受信機システム１０５０において、ＮR個の受信信号を処理して、ＮT個の送信シンボルストリームを検出するために、様々な処理技術が使用できる。これらの受信機処理技術は、等化技術とも呼ばれることがある空間および時空間受信機処理技術、ならびに／あるいは「逐次干渉消去（successive interference cancellation）」または「逐次消去（successive cancellation）」受信機処理技術とも呼ばれることがある「逐次ヌリング（nulling）／等化および干渉消去」受信機処理技術を含むことができる。
【００５６】
本明細書で説明した態様は、ハードウェア、ソフトウェア、ファームウェア、ミドルウェア、マイクロコード、またはそれらの任意の組合せで実装できることを理解されたい。システムおよび／または方法は、ソフトウェア、ファームウェア、ミドルウェアまたはマイクロコード、プログラムコードまたはコードセグメントにおいて実装した場合、記憶コンポーネントなどの機械可読媒体に記憶できる。コードセグメントは、プロシージャ、関数、サブプログラム、プログラム、ルーチン、サブルーチン、モジュール、ソフトウェアパッケージ、クラス、または命令、データ構造もしくはプログラムステートメントの任意の組合せを表すことができる。コードセグメントは、情報、データ、引数、パラメータ、またはメモリ内容をパスおよび／または受信することによって、別のコードセグメントまたはハードウェア回路に結合できる。情報、引数、パラメータ、データなどは、メモリ共有、メッセージパッシング、トークンパッシング、ネットワーク送信などを含む、好適な手段を使用してパス、フォワーディング、または送信することができる。
【００５７】
ソフトウェア実装の場合、本明細書で説明する技法は、本明細書で説明する機能を実行するモジュール（たとえば、プロシージャ、関数など）を用いて実装できる。ソフトウェアコードは、メモリユニットに記憶し、プロセッサによって実行することができる。メモリユニットは、プロセッサの内部またはプロセッサの外部に実装でき、その場合、当技術分野で知られているように様々な手段によってプロセッサに通信可能に結合できる。
【００５８】
上記の説明は１つまたは複数の態様の例を含む。もちろん、上述の態様について説明する目的で、コンポーネントまたは方法のあらゆる考えられる組合せについて説明することは不可能であるが、当業者なら、様々な態様の多数のさらなる組合せおよび置換が可能であることを認識できよう。したがって、説明した態様は、添付の特許請求の範囲の趣旨および範囲内に入るすべてのそのような改変形態、変更形態、および変形形態を包含するものとする。さらに、「含む（include）」という用語は、発明を実施するための形態または特許請求の範囲のいずれかで使用される限り、「備える（comprising）」という用語を使用すると請求項における移行語と解釈されるように「備える（comprising）」と同様に包括的なものとする。さらに、発明を実施するための形態または特許請求の範囲のいずれかで使用される「または（or）」という用語は、「非排他的なまたは（non-exclusive or）」を意味するものとする。
【図１】
2012501598.tif 000003
【図２】
2012501598.tif 000004
【図３】
2012501598.tif 000005
【図４】
2012501598.tif 000006
【図５】
2012501598.tif 000007
【図６】
2012501598.tif 000008
【図７】
2012501598.tif 000009
【図８】
2012501598.tif 000010
【図９】
2012501598.tif 000011
【図１０】
2012501598.tif 000012
【国際調査報告】
2012501598.tif 000013
2012501598.tif 000014